【手続補正書】
【提出日】平成19年4月20日(2007.4.20)
【手続補正１】
【補正対象書類名】特許請求の範囲
【補正対象項目名】全文
【補正方法】変更
【補正の内容】
【特許請求の範囲】
【請求項１】
光を放出して導光板に光を供給するための光源モジュールであって、
内部に発光素子を納めた発光部品と、
前記発光部品を保持固定するハウジングと、
配線部材を接続するためのコネクタと、
前記発光部品が実装され、前記コネクタと前記発光素子とを導通させる導電性ベースとを有し、
前記ハウジングは、前記導電性ベースとの固定部及び、前記導光板との固定部を有することを特徴とする光源モジュール。
【請求項２】
前記発光部品は前記導電性ベースに設けられた発光部品実装部の上に実装されており、前記発光部品実装部の発光部品載置面は凹設されていることを特徴とする、請求項１に記載の光源モジュール。
【請求項３】
前記発光部品と前記導電性ベースとは、前記発光部品の側面で接続されていることを特徴とする、請求項１に記載の光源モジュール。
【請求項４】
前記発光部品を合成樹脂製のハウジング内にインサート成形したことを特徴とする、請求項１に記載の光源モジュール。
【請求項５】
前記発光素子は、前記導電性ベース上に実装され、合成樹脂製のハウジング内にインサート成形されていることを特徴とする、請求項１に記載の光源モジュール。
【請求項６】
前記発光素子は、透明樹脂部内に封止成形されたうえで、ハウジング内にインサート成形されていることを特徴とする、請求項５に記載の光源モジュール。
【請求項７】
前記コネクタに接続された配線部材を解放可能にしたことを特徴とする、請求項１に記載の光源モジュール。
【請求項８】
前記発光部品を納めるための発光部品収納部を設け、発光部品の前面の一部を当接させることにより発光部品の前後方向の位置決めを行う位置決め面を前記発光部品収納部内に設けたことを特徴とする、請求項１に記載の光源モジュール。
【請求項９】
請求項１に記載の光源モジュールと、
光源モジュールから放出された光を光入射面から導入し、その光を面状に広げて光出射面から出射させる導光板と
を備えた面光源装置。
【請求項１０】
前記光源モジュールに連結部を設け、前記導光板に前記連結部と結合する被連結部を設け、連結部と被連結部とを結合させることにより前記導光板に前記光源モジュールを固定したことを特徴とする、請求項９に記載の面光源装置。
【請求項１１】
前記導光板に固定された光源モジュールの光放出面と、前記導光板の光入射面との距離が、０.０５ｍｍ以下であることを特徴とする、請求項１０に記載の面光源装置。
【手続補正２】
【補正対象書類名】明細書
【補正対象項目名】００１１
【補正方法】変更
【補正の内容】
【００１１】
本発明にかかる光源モジュールは、光を放出して導光板に光を供給するための光源モジュールであって、内部に発光素子を納めた発光部品と、前記発光部品を保持固定するハウジングと、配線部材を接続するためのコネクタと、前記発光部品が実装され、前記コネクタと前記発光素子とを導通させる導電性ベースとを有し、前記ハウジングは、前記導電性ベースとの固定部及び、前記導光板との固定部を有することを特徴としている。
【手続補正３】
【補正対象書類名】明細書
【補正対象項目名】００１３
【補正方法】変更
【補正の内容】
【００１３】
さらに、本発明の光源モジュールにあっては、前記発光素子は発光部品内に納められており、前記発光部品を前記導電性ベースに実装されているので、市販の発光部品を用いることができ、光源モジュールの製造が容易になる。また、この光源モジュールにあっては、発光部品を保持固定するハウジングが導光板との固定部を有しているので、ハウジングを導光板に固定することにより発光部品を導光板の入射面に対して所定位置となるように位置決めすることができる。
【手続補正４】
【補正対象書類名】明細書
【補正対象項目名】００２４
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００３１
【補正方法】変更
【補正の内容】
【００３１】
導光板２３の端面には、基部が細く先端部で幅広となった一対の被連結部２７が設けられ、被連結部２７間には台形状をした光入射部２８が設けられている。光入射部２８はその中央部が光入射面となっており、その両側に斜面が形成されている。平面視においては、光入射部２８の両側斜面の延長線２９（図３及び図４において１点鎖線で示す。）は、リムシート２４の内周面のコーナーよりも外側で、導光板２３下面のパターンを形成されている領域３３（これをパターン形成領域といい、図４において２点鎖線で示す。）のコーナーよりも内側を通過している。これにより、パターン形成領域３３よりも外側に向けて光入射面から入射した光を、光入射部２８の斜面で反射させてパターン形成領域３３に集め、光のロスを少なくしている。
【手続補正７】
【補正対象書類名】明細書
【補正対象項目名】００３９
【補正方法】変更
【補正の内容】
【００３９】
この発光部品収納部４３内に上方から発光部品３０を押し込むと、発光部品３０の外部端子４７が発光部品実装部４０Ａ、４０Ｂの板厚の薄い部分の上に乗るので、図１１に示すように、発光部品実装部４０Ａ、４０Ｂと外部端子４７の下面との間をハンダ５２で接合することにより、発光部品３０がコンタクト３４に接続される。また、凸部５０が発光部品３０の一方側面に押し当てられることにより、発光部品３０の他方側面が発光部品収納部４３の側面に押し付けられ、発光部品３０の左右方向のがたつきを防止されると共に、発光部品収納部４３内において発光部品３０が左右方向の位置決めをされる。さらに、凸曲部５１が発光部品３０の背面に押し当てられることにより、外部端子４７の前面が位置決め面４９に押し付けられ、発光部品３０の前後方向のがたつきを防止されると共に、発光部品収納部４３内において発光部品３０が前後方向で位置決めされる。このとき、発光部品３０の背面に設けられた凸部５３は、凸曲部５１間に嵌まり込んでいる。
【手続補正８】
【補正対象書類名】明細書
【補正対象項目名】００４６
【補正方法】変更
【補正の内容】
【００４６】
コネクタ３９はコネクタつまみ３６によって開閉されるようになっている。コネクタつまみ３６はハウジング３５の上面に設けられており、ドライバ等の工具で図１４に示すように起こすことができる。コネクタつまみ３６を起こした状態では、コネクタ３９のクリップ６１Ａ、６１Ｂ間が開き、コネクタつまみ３６を倒した状態では、クリップ６１Ａ、６１Ｂ間が閉じるようになっている。図１５（ａ）（ｂ）（ｃ）（ｄ）はこの機構を示す概略図である。コネクタつまみ３６は、コネクタ３９の支持部６３上面に設けられた半円状の溝部６６によって軸部６５を回動可能に支持されている。コネクタつまみ３６の基部は、断面略円弧状に湾曲又は屈曲した作用部６７となっており、作用部６７の先端は梃子６２の下面と対向している。また、軸部６５は、作用部６７の外面に設けられている。
【手続補正９】
【補正対象書類名】明細書
【補正対象項目名】００６８
【補正方法】削除
【補正の内容】
【手続補正１０】
【補正対象書類名】明細書
【補正対象項目名】００６９
【補正方法】変更
【補正の内容】
【００６９】
【図１】従来の面光源装置を示す平面図である。
【図２】同上の面光源装置の断面図である。
【図３】本発明の一実施例による面光源装置を示す斜視図である。
【図４】同上の面光源装置の分解斜視図である。
【図５】図３は本発明の一実施例による光源モジュールの正面側からの斜視図である。
【図６】同上の光源モジュールの背面側からの斜視図である。
【図７】図５に示す光源モジュールに用いられているコンタクトの斜視図である。
【図８】（ａ）（ｂ）は同上のコンタクトの平面図及び正面図である。
【図９】発光部品の構造を示す斜視図である。
【図１０】図５の光源モジュールにおいて、ハウジングに実装された発光部品を示す平面図である。
【図１１】（ａ）は図１０のＸ−Ｘ線断面図、（ｂ）は図１０のＹ−Ｙ線断面図である。
【図１２】導光板に取り付けられた光源モジュールを示す一部破断した平面図である。
【図１３】光入射部と発光部品との離間距離ｄを変化させたときの、導光板の光出射面における輝度ムラの大きさと、光出射面の中央の相対輝度の変化を表す図である。
【図１４】コネクタつまみを起こした状態を示す斜視図である。
【図１５】（ａ）はコネクタつまみを起こしてクリップ間を開いた状態を示す概略図、（ｂ）はクリップ間にフレキシブルプリント基板を挿入した状態を示す概略図、（ｃ）はコネクタつまみを斜めに倒してクリップ間を閉じる途中の状態を示す概略図、（ｄ）はコネクタつまみを水平に倒してクリップ間にフレキシブルプリント基板を固定した状態を示す概略図である。
【図１６】（ａ）〜（ｄ）は光源モジュールの組立手順を説明する平面図である。
【図１７】光源モジュールの回路構成を示す回路図である。
【図１８】３５μｍ厚の銅箔を貼ったフレキシブルプリント基板に電流を流したときと１００μｍ厚の銅箔に電流を流したときの、通電電流と温度上昇ΔＴとの関係を計測した結果を示す図である。
【図１９】従来の面光源装置と液晶表示パネルとを組み合わせたときのフレキシブルプリント基板の構成を表した図である。
【図２０】（ａ）は本発明の一実施例による面光源装置と液晶表示パネルとを組み合わせる際に用いることのできるフレキシブルプリント基板の平面図、（ｂ）は面光源装置と液晶表示パネルの概略側面図である。
【図２１】図５の光源モジュールの変形例を示す斜視図である。
【図２２】同上の光源モジュールの回路構成を示す回路図である。
【図２３】本発明の別な実施例にかかる面光源装置を示す平面図である。
【図２４】図２３の一部を拡大した図である。
【図２５】（ａ）（ｂ）は図２３の面光源装置に用いられている導光板の光入射部の近傍を示す平面図及び正面図、（ｃ）（ｄ）は光源モジュールの背面図及び平面図である。
【図２６】（ａ）は本発明のさらに別な実施例による光源モジュールの内部構造を示す概略平面図、（ｂ）は当該光源モジュールの概略断面図である。
【手続補正１１】
【補正対象書類名】図面
【補正対象項目名】図２７
【補正方法】削除
【補正の内容】